(57)【特許請求の範囲】
【請求項１】
ディスクが載置されると共に、一片側を前記ディスクの一部がはみ出すように切り欠いた形状とされたトレイと、
前記トレイに前記ディスクを装着脱する引き出し位置と、前記トレイを収納する収納位置との間で前記トレイを移動可能に保持しており、前記トレイが前記収納位置にあるときに前記トレイを収納する収納部と、前記トレイが前記収納位置にあるときに前記ディスクの前記トレイからはみ出した部分を収納するカバー部とを有してなる筐体とを具備するディスク装置であって、
前記カバー部内に、前記収納位置に移動した前記ディスクの外周縁と対向する位置に滑らかな対向面を有する気流整形部材を配設したことを特徴とするディスク装置。
【請求項２】
請求項１記載のディスク装置において、
前記気流整形部材に形成された前記対抗面が、前記ディスクの外周縁と一定の離間距離を持って対向するよう構成したことを特徴とするディスク装置。
【発明の詳細な説明】
【０００１】
【発明の属する技術分野】
本発明はディスク装置に係り、特に小型化を図ったディスク装置に関する。
【０００２】
【従来の技術】
例えばデータベースやソフトウエアなどの情報を記憶させる記憶媒体として、レーザ式ピックアップにより再生されるコンパクトディスク（直径１２cm又は８cm）が使用されつつある。そのため、小型化されたノート型パソコン等にも組み込めるように、シャーシ（筐体）内に内蔵されるディスク装置（内蔵形ＣＤ−ＲＯＭドライブ装置）の開発が行われている。
【０００３】
一般的に用いられているディスク装置は、ディスクが載置されるトレイをモータで駆動しており、トレイがシャーシ外に移動するとディスクをトレイ内のターンテーブル上に載置し、再びモータの駆動力によりトレイをシャーシに戻すようになっている。
【０００４】
しかるに、上記のようにトレイをモータで駆動する方式では、トレイを駆動するためのモータ及び駆動力をトレイに伝達する伝達機構が必要であり、その分ディスク装置を小型化、薄型化することが難しく、ノート型パソコンの筐体に組み込むことができなかった。
【０００５】
また、上記したディスク装置は、ディスク全体がトレイ内に設けられた有底環状の凹部であるディスク載置部に載置される構成とされていた。このため、トレイの横幅寸法は、ディスクの直径よりも大きくなるように設定されていた。その結果、従来のディスク装置では、トレイの横幅寸法が大きくなってしまい、装置全体が大きくなって小型化を図ることが難しかった。
【０００６】
このため、上記のようなモータ及び伝達機構を不要にし、トレイを手動操作によりシャーシ内のディスク収納位置又はシャーシ外の引き出し位置に移動させる構成のディスク装置が開発されつつある。
【０００７】
この種のディスク装置として、本出願人は先に特開平１１−２５９９４７号公報に開示された技術を提案した。同公報に開示されたディスク装置は、ディスクが載置されると共に一片側をディスクの一部がはみ出すように切り欠いた形状とされたトレイと、このトレイを移動可能に保持するシャーシとを具備した構成とされている。
【０００８】
具体的には、シャーシは、ディスクを装着脱する引き出し位置と、トレイを収納する収納位置との間でトレイを移動可能に保持する構成とされている。また、シャーシには、トレイが収納位置にあるときにトレイを収納する収納部が設けられている。更に、シャーシには、トレイが収納位置にあるとき、ディスクのトレイからはみ出した部分を収納するカバー部が設けられている。この構成とすることにより、トレイの横幅寸法を小さくすることができ、これに伴いトレイの移動スペースを小さくすることができるため、ディスク装置の小型化を図ることが可能となる。
【０００９】
【発明が解決しようとする課題】
上記のように、ディスク搭載状態においてディスクの一部がはみ出す構成とされたトレイを用いることにより、ディスク装置の小型化を図ることができる。しかしながら、上記構成とされたディスク装置では、ディスクが高速回転を行なう際に騒音が発生するという問題点があった。
【００１０】
この騒音は、ディスクが回転することにより発生する。また、騒音の発生位置は、ディスクのトレイからはみ出した部位がカバーと対向する位置であった。騒音の発生する原因は、ディスクの外周内と対向するカバーの対向面が滑らかでないため、ディスクが高速で回転したときに、その位置において空気の流れが急激に変化することにある。
【００１１】
前記したようにディスク装置はノート型パソコン等に組み込まれて使用されるものであり、またノート型パソコンは仕事場や家庭で使用されるものであり、静粛性は重要な要素となる。
【００１２】
本発明は上記の点に鑑みてなされたものであり、静粛性の向上を図ったディスク装置を提供することを目的とする。
【００１３】
【課題を解決するための手段】
上記の課題を解決するために本発明では、次に述べる各手段を講じたことを特徴とするものである。
【００１４】
請求項１記載の発明は、
ディスクが載置されると共に、一片側を前記ディスクの一部がはみ出すように切り欠いた形状とされたトレイと、
前記トレイに前記ディスクを装着脱する引き出し位置と、前記トレイを収納する収納位置との間で前記トレイを移動可能に保持しており、前記トレイが前記収納位置にあるときに前記トレイを収納する収納部と、前記トレイが前記収納位置にあるときに前記ディスクの前記トレイからはみ出した部分を収納するカバー部とを有してなる筐体とを具備するディスク装置であって、
前記カバー部内に、前記収納位置に移動した前記ディスクの外周縁と対向する位置に滑らかな対向面を有する気流整形部材を配設したことを特徴とするものである。
【００１５】
また、請求項２記載の発明は、
請求項１記載のディスク装置において、
前記気流整形部材に形成された前記対抗面が、前記ディスクの外周縁と一定の離間距離を持って対向するよう構成したことを特徴とするものである。
【００１６】
上記発明によれば、カバー部内に、収納位置に移動したディスクの外周縁と対向する位置に滑らかな対向面を有する気流整形部材を配設したことにより、騒音の発生を防止することができる。以下、その理由について説明する。
【００１７】
本発明者は、騒音の発生原因を調べるため、先に説明したトレイにディスク載置部（有底環状の凹部）が形成され、装着状態においてディスク全体がこのディスク載置部に載置される構成のディスク装置において、騒音が発生しているか否かを調べた。その結果、ディスク載置部にディスクが載置される構成のディスク装置では、騒音は発生しなかった。
【００１８】
また、騒音はディスクが回転することにより発生する。この騒音の発生位置は、ディスクのトレイからはみ出した部位がカバーと対向する位置であった。騒音の発生する原因は、ディスクの外周内と対向するカバーの対向面が滑らかでないため、ディスクが高速で回転したときに、その位置において空気の流れが急激に変化することにある。
【００１９】
これに対し、ディスク載置部にディスクが載置される構成のディスク装置では、装着状態においてディスクは有底環状の凹部であるディスク載置部内に位置している。よって、ディスク載置部の内壁と、ディスクの外周縁との離間距離は略一定である。従って、これによりディスク載置部にディスクが載置される構成のディスク装置では、騒音の発生が抑制されていたと考えられる。
【００２０】
上記事項に基づき本発明では、騒音の発生位置であるカバー部内でトレイの引き込み方向の奥側に気流整形部材を配設し、この気流整形部材がディスクの外周縁と対向する位置に滑らかな対向面を有する構成とした。
【００２１】
これにより、ディスクが回転しこれに伴い気流が発生しても、ディスクの外周縁と気流整形部材との離間距離は略一定であるため、気流の流れが大きく変化されることはなく、よって騒音の低減を図ることができる。
【００２２】
この際、気流整形部材が収納位置に位置するディスクの外周縁と一定の離間距離を持って対向するよう構成することも騒音の低減に有効である。
また、本発明によれば、一片側をディスクの一部がはみ出すように切り欠いた形状とされたトレイを用いても騒音の発生を抑制できるため、ディスク装置の小型化が阻害されるようなこともない。
【００２３】
【発明の実施の形態】
次に、本発明の実施の形態について図面と共に説明する。
【００２４】
図１乃至図３は、本発明の一実施例であるディスク装置１（電子装置）を示している。このディスク装置１は、例えばノート型パソコン（図示せず）の筐体に内蔵される内蔵形の装置である。
【００２５】
各図に示すように、ディスク装置１は、大略するとトレイ２，ガイドレール機構４，ターンテーブル６，ピックアップ組立体７，及びシャーシ１０（筐体）等により構成されている。
【００２６】
尚、図１乃至図３は、いずれもシャーシ１０の上部に覆うよう配設される天板９（図４参照）を取り外した状態を示している。また、図１はトレイ２がシャーシ１０から引き出された引き出し位置にある状態を示しており、また図２はトレイがシャーシ１０内に引き込まれた収納位置にある状態を示している。更に、図３は、ディスク装置１を底面視した斜視図を示している。
【００２７】
トレイ２は、ターンテーブル６，ピックアップ組立体７，及びディスク載置部１７等が設けられた構成とされている。このトレイ２は、シャーシ１０に対して図中矢印Ｘ１，Ｘ２方向に移動可能な構成とされている。
【００２８】
即ち、シャーシ１０の両側部にはガイドレール機構４が設けられており、このガイドレール機構４が矢印Ｘ１，Ｘ２方向に伸長或いは収縮することにより、トレイ２はシャーシ１０に対して矢印Ｘ１，Ｘ２方向に移動する構成とされている。このように、ガイドレール機構４を用いることにより、図１に示すようにトレイ２をシャーシ１０に対して矢印Ｘ１方向に大きく引き出すことができるため、トレイ２に対するディスク３の装着脱を容易に行なうことができる。
【００２９】
また、ターンテーブル６は、トレイ２の略中央位置に配設されている。このターンテーブル６はディスク３が装着されるものであり、トレイ２の下部に配設されたスピンドルモータ（図示せず）により回転する構成とされている。これにより、ターンテーブル６に装着されたディスク３も回転する構成とされている。本実施例では、ディスク回転速度は３２倍速とされており、再生時においてディスク３は高速回転する。
【００３０】
また、トレイ２は、ディスク載置部１７を有している。このディスク載置部１７は、ディスク３の直径よりも若干大きな直径を有した有底環状の凹部である。ディスク３は、ターンテーブル６に装着された状態において、このディスク載置部１７内に位置する構成とされている。
【００３１】
更に、トレイ２には、光学式ピックアップ５をディスク３の半径方向（図中矢印Ｚ１，Ｚ２方向）に移動させるピックアップ組立体７が配設されている。光学式ピックアップ５は、ディスク３に対してレーザ光を照射すると共に、その反射光を受光することにより再生或いは記録処理を行なうものである。尚、ピックアップ組立体７の詳細については、説明の便宜上、後述するものとする。
【００３２】
上記構成とされたトレイ２は、ディスク３の一部がトレイ２からはみ出るようにディスク３の外径よりも横幅寸法が小さくなるように形成されている。また本実施例では、トレイ２が矢印Ｘ１，Ｘ２方向に移動する際、モータ等の駆動手段を用いておらず、手動操作により引き出し位置と収納位置との間で移動させる構成とされている。
【００３３】
これにより、ディスクディスク装置１には、トレイ２を移動させるための駆動機構（モータ及び伝達機構等よりなる）を設ける必要はなくなり、よってその分部品点数が減少し、ディスク装置１の小型化及び薄型化を図ることができる。更に、ディスク３の一部がトレイ２からはみ出しているため、ディスク３をトレイ２に装着脱する際、このディスク３のはみ出し部分を把持して装着脱できるため、装着脱操作を容易に行なうことができる。
【００３４】
また、トレイ２の前面部には、前面ベゼル１１が配設されている。よって、この前面ベゼル１１は、トレイ２と一体的に矢印Ｘ１，Ｘ２方向に移動する。この前面ベゼル１１の中央には、スイッチ釦１２が設けられている。
【００３５】
ところで、再生時に誤ってディスク３が取り出されるのを防止するため、トレイ２は収納位置においてロック機構（図示せず）によりロックされる構成となっている。前面ベゼル１１に設けられたスイッチ釦１２は、このロックを解除させるためのスイッチである。スイッチ釦１２がオンに操作されると、トレイ２はシャーシ１０から引き出し可能な状態となる。
【００３６】
次に、シャーシ１０について説明する。シャーシ１０は、大略するとトレイ２が収納される筐体状の収納部１０ａと、収納状態においてトレイ２からはみ出したディスク３を保護するカバー部１０ｂとにより構成されている。
【００３７】
収納部１０ａは、電子回路が配設されたプリント基板１３が設けられており、このプリント基板１３とトレイ２に設けられた電子部品とは，フレキシブル基板１５により電気的に接続されている。また、フレキシブル基板１５を用いることにより、シャーシ１０に対しトレイ２が移動する構成としても、両者２，１３の電気的接続を図ることができる。
【００３８】
また、カバー部１０ｂは、前記したディスク３のトレイ２からはみ出した部分の下部を覆うよう構成されている。これにより、ディスク３のトレイ２に保持されない部位は、カバー部１０ｂにより保護される。尚、ディスク３のトレイ２からはみ出した部分の上部は、天板９により保護される。
【００３９】
また、カバー部１０ｂの側壁１０ｃには、制動部材１６が配設されている。この制動部材１６は例えば弾性材により形成されており、収納位置にあるディスク３が引き出し位置に向け移動される際、ディスク３の外周と摺接するよう構成されている。
【００４０】
これにより、収納位置で再生／記録処理のために高速回転していたディスク３は、図中矢印Ｘ１方向への移動に伴い制動部材１６と摺接し、その回転が制動される。従って、収納位置から引き出し位置に移動した際、ディスク３は必ず停止した状態となっており、ディスク３に損傷が発生することを防止している。
【００４１】
上記構成とされたカバー部１０ｂは、ディスク３の一部を保持する構成であり、トレイ２は装着されない。このため、カバー部１０ｂの高さ（図３に矢印Ｚ１，Ｚ２で示す方向の高さ）は、収納部１０ａの高さに比べて小さくなる。これにより、図３に示すように、ディスク装置１を底面視した状態において、収納部１０ａとカバー部１０ｂとの間には段差が形成される。
【００４２】
よって、この段差によりディスク装置１に発生した空間に、ディスクディスク装置１が組み付けられるノート型パソコンの他の機器を配設することが可能となる。よって、本実施例のディスク装置１を用いることにより、ノート型パソコンの小型化を測ることができる。
【００４３】
ここで、カバー部１０ｂ内でトレイの引き込み方向（図中、矢印Ｘ２方向）の奥側の位置に注目する。このカバー部１０ｂの奥側の位置には、気流整形部材２０が配設されている。
【００４４】
気流整形部材２０は樹脂形成されたものであり、固定ネジ２２を用いてカバー部１０ｂに固定されている。また、図１及び図２に加えて図４及び図５（Ａ）に示すように、気流整形部材２０は収納位置にあるディスク３の外周縁に沿うよう対向する湾曲面２１を有しており、この湾曲面２１の曲率はディスク３の外周の曲率よりも若干大きく構成されている。更に、図５（Ｂ）に拡大して示すように、気流整形部材２０の図中下端部分、図中上部に位置する側壁１０Ｃの下端部分、図中下部に位置する側壁の上端部分、及び制動部材１６の図中上端部分には、それぞれ傾斜面２３〜２６が形成されている。
【００４５】
この構成とすることにより、収納位置に移動したディスク３の外周縁と気流整形部材２０の湾曲面２１は、略一定の離間距離（図中、矢印Ｈ１で示す）を持って滑らかに対向する構成となる。また、ディスク３の外周縁と側壁１０Ｃ、及びディスク３の外周縁と制動部材１６も傾斜面２４〜２６が形成されることにより、滑らかに対向した状態となる。尚、図４は図２におけるＡ−Ａ線に沿う断面図であり、図５（Ａ）は図４におけるＢ−Ｂ線に沿う断面図であり、更に図５（Ｂ）は図５（Ａ）に矢印Ｂで示す領域を拡大して示す図である。
【００４６】
本実施例のように、気流整形部材２０が略一定の離間距離Ｈ１を持ってディスク３の外周縁と滑らかに対向する構成とし、更に側壁１０Ｃ及び制動部材１６の各端部２４〜２６もディスク３の外周縁と滑らかに対向する構成とすることにより、ディスク高速回転時に発生する空気の流れ変化の度合が軽減され、よってディスク装置１に騒音の発生を防止することができる。以下、その理由について説明する。
【００４７】
いま、仮に気流整形部材２０が設けられていない構成を想定すると、この部位にはディスク装着状態において、ディスク３の外周縁とカバー部１０ｂの側壁１０ｃとの間に略三角形状の隙間が形成されることになる。この構成では、ディスク３の外周縁とカバー部１０ｂの側壁１０ｃとの離間距離は一定とはならない。
【００４８】
従って、気流整形部材２０が設けられていない構成において、ディスク３が高速回転すると、この回転により発生する気流は略三角形状を有した隙間内、即ちディスク３の外周縁とカバー部１０ｂの側壁１０ｃとの離間が不均一な空間内に流入する。このようにディスク外周縁と側壁１０ｃとの離間が不均一な空間内に気流が流入すると、この気流に乱れが生じ、これに起因して騒音が発生してしまう。
【００４９】
これに対して本実施例に係るディスク装置１は、騒音の発生位置（即ち、カバー部１０ｂ内でトレイ２の引き込み方向の奥側）に気流整形部材２０を配設した構成としている。この気流整形部材２０は、前記したように収納位置に位置するディスク３の外周縁と一定の離間距離を持って滑らかに対向するよう構成された湾曲面２１を有している。更に、前記した気流整形部材２０、側壁１０Ｃ、及び制動部材１６の端部には、ディスク３の外周縁に滑らかに対向するよう傾斜面２３〜２６がそれぞれ形成されている。
【００５０】
従って、ディスク３が高速回転しこれに伴い気流が発生しても、ディスク３の外周縁と気流整形部材２０との離間距離が一定でかつ滑らかに対向する構成であるため、気流の流れに大きな変化は発生せず、よって騒音の低減を図ることができる。よって、上記のようにディスク３の一部がはみ出すように切り欠いた形状とされたトレイ２を用いた小型化されたディスク装置１であっても、騒音の発生を確実に抑制することができる。
【００５１】
次に、トレイ２に配設されるピックアップ組立体７について説明する。
【００５２】
ピックアップ組立体７は、前記したように光学式ピックアップ５をディスク３の半径方向（図中矢印Ｚ１，Ｚ２方向）に移動させる機能を奏するものである。このピックアップ組立体７は、図６及び図７に示すように、大略するとピックアップベース３０、ベースカバー３１、スレッドモータ３３、リードスクリュー３４、ガイドシャフト３５Ａ，３５Ｂ、シャフトホルダ３６、及びスレッドホルダ３７等により構成されている。
【００５３】
尚、図示の便宜上、図６及び図７において光学式ピックアップ５の図示は省略している。また、図６及び図７は、それぞれピックアップ組立体７を底面視した状態を示している。
【００５４】
ピックアップベース３０は、上記のピックアップ組立体７を構成する各構成要素を取り付ける基板として機能するものであり、ターンテーブル６が挿入されるターンテーブル用開口４１と光学式ピックアップ５が移動するピックアップ用開口４３が連続して形成されることにより枠状の形状を有した構成とされている。また、ピックアップベース３０には、後述する固定ネジ４８ａ〜４８ｄ、５４Ａ，５４Ｂが螺着されるネジ孔４７ａ〜４７ｄ、４６ａ，４６ｂが形成されている。
【００５５】
ベースカバー３１は、その上面（図６及び図７では下面となる）がトレイ２に形成された開口２ｂから露出するよう構成されている。このベースカバー３１にも、ターンテーブル６が挿入されるターンテーブル用開口４０と光学式ピックアップ５が移動するピックアップ用開口４２が連続して形成されている。また、ベースカバー３１は、両側部に形成された係合孔４４がピックアップベース３０に形成されたフック部４５に係合することにより、ピックアップベース３０に固定される構成とされている。
【００５６】
リードスクリュー３４は光学式ピックアップ５に形成されたニードル（図示せず）が係合する構成とされており、回転することにより光学式ピックアップ５を図中矢印Ｚ１，Ｚ２方向に移動させる機能を奏するものである。後述するように、リードスクリュー３４は、スレッドモータ３３により回転駆動される。
【００５７】
このリードスクリュー３４は、図中矢印Ｚ２方向端部３４ａに従動ギヤ５０が配設されている。そして、従動ギヤ５０が配設された端部３４ａは後述するスレッドホルダ３７の軸受部６７に軸承され、図中矢印Ｚ１方向の端部３４ｂはシャフトホルダ３６に形成された軸受部６０に軸承される構成とされている。
【００５８】
従動ギヤ５０は、後述する中間ギヤ５１を介してスレッドモータ３３の駆動軸に配設された駆動ギヤ４９に接続されている。従って、スレッドモータ３３が駆動し駆動ギヤ４９が回転すると、この回転力は中間ギヤ５１を介して従動ギヤ５０に伝達され、これによりリードスクリュー３４が回転する構成取れされている。従って、スレッドモータ３３が駆動することにより、光学式ピックアップ５は図中矢印Ｚ１，Ｚ２方向に移動する。
【００５９】
シャフトホルダ３６は、上記の軸受部６０に加え挿通孔３６ａ及び後述するガイドシャフト３５Ａを軸承する軸受部６１を形成している。このシャフトホルダ３６は、固定ネジ４８ｄが挿通孔３６ａを挿通してピックアップベース３０のネジ孔４７ｄに螺着することによりピックアップベース３０に固定される。
【００６０】
ガイドシャフト３５Ａ，３５Ｂは、光学式ピックアップ５の両側に形成されたガイド部と係合するものである。これにより、光学式ピックアップ５は、各ガイドシャフト３５Ａ，３５Ｂにガイドされて移動する。
【００６１】
前記したように、一方のガイドシャフト３５Ａは、シャフトホルダ３６とスレッドホルダ３７により軸支される構成とされている。また、他方のガイドシャフト３５Ｂは、板ばね材により固定片５３Ａ，５３Ｂを固定ネジ５４Ａ，５４Ｂを用いてピックアップベース３０に固定することにより、ピックアップベース３０に軸支される構成とされている。
【００６２】
次に、スレッドホルダ３７について説明する。
【００６３】
スレッドホルダ３７は、光学式ピックアップ５を移動させる駆動力を発生するスレッドモータ３３（駆動手段）をピックアップベース３０（基板）上に保持する保持機構として機能するものである。このスレッドホルダ３７は、可撓性を有する樹脂により形成されており、大略すると固定部５５と可撓部５６とにより構成されている。
【００６４】
固定部５５はピックアップベース３０に固定される部位であり、挿通孔３７ａ〜３７ｃ及び軸受部５７，５８，６７が形成された構成とされている。挿通孔３７ａ〜３７ｃは、固定部５５をピックアップベース３０に固定する固定ネジ４８ａ〜４８ｃが挿通される。また、軸受部５７は、前記したようにガイドシャフト３５Ａの矢印Ｚ２方向端部を軸承する。また、軸受部６７は、前記したようにリードスクリュー３４の端部３４ａを軸承する。
【００６５】
更に、軸受部５８は、可撓部５６に形成された軸受部５９と協働して中間ギヤ５１の軸５２を軸承する。この際、本実施例では中間ギヤ５１を軸５２に一体的に固着した構成としており、よって中間ギヤ５１は軸５２と一体的に回転する構成とされている。一般的な中間ギヤでは、軸を固定し、この軸に対して中間ギヤが回動する構成とされていたが、この構成では軸と中間ギヤとの摺接面積が広くなり、軸と中間ギヤとの間で比較的大きな騒音及び摩耗が発生し信頼性の低下につながっていた。しかしながら、上記のように中間ギヤ５１と軸５２とを一体化することにより、上記の問題点を解決することができた。
【００６６】
上記構成とされた固定部５５は、各軸受部５７，５８，６７にガイドシャフト３５Ａ，中間ギヤ５１，リードスクリュー３４を軸承した上で、その上部に挿通孔３８ａ，３８ｃが形成されたスレッドカバー３８を装着し、固定ネジ４８ａ〜４８ｃを用いてピックアップベース３０に固定される。具体的には、固定ネジ４８ａは、固定部５５に形成された挿通孔３７ａに挿通されてピックアップベース３０のネジ孔４７ａに螺着される。また、固定ネジ４８ｂ，４８ｃは、スレッドカバー３８に形成された挿通孔３８ａ，３８ｃ、及び固定部５５に形成された挿通孔３７ｂ，３７ｃに挿通されてピックアップベース３０のネジ孔４７ｂ．４７ｃに螺着される。これにより、固定部５５はピックアップベース３０に固定される。
【００６７】
一方、可撓部５６は、中央部にスレッドモータ３３が装着されるモータ収納部６３を形成することにより、平面視した状態で枠状の形状を有している。また、可撓部５６の固定部５５と対向する側には、中間ギヤ５１の軸５２の矢印Ｚ１方向端部を軸承する軸受部５９が形成されると共に、スレッドモータ３３に配設された駆動ギヤ４９を突出させるためのＵ字状の溝部６５が形成されている。
【００６８】
また、可撓部５６に形成されたモータ収納部６３の内側で、図中Ｚ１方向端部には、モータ固定フック６４が一体的に形成されている。このモータ固定フック６４は、スレッドモータ３３がモータ収納部６３に収納された状態で、スレッドモータ３３のＺ１方向端部に形成されている凸部６８に係合する構成とされている。図８に示すように、モータ固定フック６４は略Ｕ字形状を有しており、スレッドモータ３３が装着された状態において、若干量変形する構成とされている。このようにモータ固定フック６４が変形することにより、その反力としてスレッドモータ３３は矢印Ｚ２方向に押圧される。従って、この押圧力によりスレッドモータ３３は、モータ収納部６３内にガタツキなく固定される。
【００６９】
ところで、スレッドモータ３３は駆動する際に振動を発生させるものである。よって、このスレッドモータ３３を直接ピックアップベース３０に固定すると、スレッドモータ３３で発生する振動は直ちにピックアップベース３０に伝達され、光学式ピックアップ５のフォーカシングやトラッキングに悪影響を及ぼしてしまう。
【００７０】
これに対処するために本実施例では、スレッドホルダ３７の構成を固定部５５に対して可撓部５６が可撓変位可能な構成とした。具体的には、可撓部５６を固定部５５に連結部７０のみで連結し、これにより可撓部５６が固定部５５に対して片持ち梁状となるよう構成した。
【００７１】
また、図６及び図８に示すように、スレッドホルダ３７が配設された状態において、ピックアップベース３０の可撓部５６と対向する位置に開口部６９を形成し、可撓部５６とベースカバー３１との間に間隙６６（間隙６６の高さを図中矢印Ｈ２で示す）が形成されるよう構成した。この構成とすることにより、可撓部５６は固定部５５に対し、図８に矢印Ｄ１，Ｄ２方向に変位可能な構成となる。
【００７２】
スレッドホルダ３７を上記構成とすることにより、スレッドモータ３３が駆動し、これにより振動が発生したとしても、可撓部５６が固定部５５に対して矢印Ｄ１，Ｄ２方向に変位することにより、前記振動を減衰させることができる。これにより、スレッドモータ３３の振動がピックアップベース３０に伝達されるのを防止することがでは、よってピックアップベース３０に配設された光学式ピックアップ５等の他の装置・機器に振動の影響が及ぶのを防止することができる。
【００７３】
また、本実施例では、駆動手段の駆動力出力部が、前記可撓部内の前記固定部側に位置するよう構成したことを特徴とするものである。
【００７４】
上記発明では、スレッドモータ３３の駆動力出力部となる駆動ギヤ４９が、可撓部５６の固定部５５側に位置した構成とされている。よって、可撓部５５がスレッドモータ３３の振動により変位しても、スレッドモータ３３の回転を中間ギヤ５１に確実に伝達することができる。
【００７５】
即ち、片持ち梁状の可撓部５５は、スレッドモータ３３の振動により変位した場合、固定部５５（連結部７０）から離間した位置においては変位量が大きく、固定部５５に近い位置は変位量が小さくなる。よって、スレッドモータ３３に配設された駆動ギヤ４９を固定部５５に近接した位置に配設することにより、スレッドモータ３３に振動が生じても、駆動ギヤ４９の変位量を小さくすることが゛きる。よって、駆動ギヤ４９が中間ギヤ５１から離間することを防止でき、スレッドモータ３３の駆動力を確実にリードスクリュー３４に伝達することが可能となる。
【００７６】
【発明の効果】
上述の如く本発明によれば、ディスク装置の小型化を図りつつ、騒音の発生を抑制することができる。
【図面の簡単な説明】
【図１】本発明の一実施例である電子装置（ディスク装置）を示しており、トレイが引き出された状態を示す平面図である。
【図２】本発明の一実施例である電子装置（ディスク装置）を示しており、トレイが引き込まれた状態を示す平面図である。
【図３】本発明の一実施例である電子装置（ディスク装置）を底面視した状態を示す斜視図である。
【図４】図２におけるＡ−Ａ線に沿う断面図である。
【図５】図５（Ａ）は図４におけるＢ−Ｂ線に沿う断面図であり、図５（Ｂ）は図５（Ａ）における矢印Ｂで示す部分を拡大して示す図である。
【図６】本発明の一実施例である電子装置（ディスク装置）に設けられたピックアップ組立体を底面視した状態を示す分解斜視図である。
【図７】本発明の一実施例である電子装置（ディスク装置）に設けられたピックアップ組立体の底面図である。
【図８】図７におけるＣ−Ｃ線に沿う断面図である。
【符号の説明】
１  ディスク装置
２  トレイ
３  ディスク
５  光学式ピックアップ
７  ピックアップ組立体
１０  シャーシ
１０ａ  収納部
１０ｂ  カバー部
２０  気流整形部材
２１  湾曲面
３０  ピックアップベース
３１  ベースカバー
３３  スレッドモータ
３４  リードスクリュー
３６  シャフトホルダ
３７  スレッドホルダ
３８  スレッドカバー
４９  駆動ギヤ
５０  従動ギヤ
５１  中間ギヤ
５５  固定部
５６  可撓部
６３  モータ収納部
６４  モータ固定フック
６６  間隙
【図１】
0003675346.tif 000002
【図２】
0003675346.tif 000003
【図３】
0003675346.tif 000004
【図４】
0003675346.tif 000005
【図５】
0003675346.tif 000006
【図６】
0003675346.tif 000007
【図７】
0003675346.tif 000008
【図８】
0003675346.tif 000009